(57)【要約】【課題】  現在のフォーカスが当たっているオブジェクトを表示し、次の操作によるフォーカスの移動先を表示する光ディスク装置及び光ディスク処理方法を提供する。【解決手段】  光ディスクからの反射光を読取って読取信号を出力する読取部と、読取部が読み取った読取信号及び与えられる操作信号に基づいて、現在のフォーカスが、画面上の複数のオブジェクト（Ａ〜Ｇ）の中のどれに当たっているかを管理する管理部（１１）と、フォーカスが当たっているオブジェクトを知らせるための信号を生成する処理部（１２−１，１３−１）をもつ光ディスク装置。【選択図】図８
2008159151.tif 000002
【特許請求の範囲】
【請求項１】
光ディスクからの反射光を読取って読取信号を出力する読取部と、
前記読取部が読み取った読取信号及び与えられる操作信号に基づいて、現在のフォーカスが、画面上の複数のオブジェクトの中のどれに当たっているかを管理する管理部と、
前記フォーカスが当たっているオブジェクトを知らせるための信号を生成する処理部と、
を具備することを特徴とする光ディスク装置。
【請求項２】
前記処理部は、前記フォーカスが当たっているオブジェクトを知らせるために、少なくとも、前記画面上に表示されるオブジェクトの色彩情報と、前記オブジェクトを特定する文字情報と、前記オブジェクトの動画情報と、前記オブジェクトを特定する音声情報との内の一つを生成することを特徴とする請求項１記載の光ディスク装置。
【請求項３】
前記処理部は、前記操作信号を供給するリモコン装置の複数の方向キーが押下された後に現在の前記フォーカスが当たっているオブジェクトから、どのオブジェクトにフォーカスが移動するかを予測して知らせるための信号を生成することを特徴とする請求項１記載の光ディスク装置。
【請求項４】
前記処理部は、前記操作信号を供給するリモコン装置が有するオブジェクトを移動させるための上方向、下方向、右方向、左方向、右上方向、右下方向、左上方向、左下方向の各方向キーが押下された後に現在の前記フォーカスが当たっているオブジェクトから、どのオブジェクトにフォーカスが移動するかを予測して知らせるための信号を生成することを特徴とする請求項１記載の光ディスク装置。
【請求項５】
前記管理部は、読取部が読み取った前記光ディスクがアドバンストコンテンツか、スタンダードコンテンツかを判断し、判断結果に応じて異なる方法で、現在のフォーカスが画面上の複数のオブジェクトの中のどれに当たっているかを管理し、
前記処理部は、前記判断結果に応じて異なる信号に基づいて、前記フォーカスが当たっているオブジェクトを知らせるための信号を生成することを特徴とする請求項１記載の光ディスク装置。
【請求項６】
前記処理部は、前記光ディスクがアドバンストコンテンツであるときは、前記読取部が読み取った読取信号の中のｎａｖＵｐ属性、ｎａｖＤｏｗｎ属性、ｎａｖＬｅｆｔ属性、ｎａｖＲｉｇｈｔ属性、ｎａｖＬｅｆｔＵｐ属性、ｎａｖＬｅｆｔＤｏｗｎ属性、ｎａｖＲｉｇｈｔＵｐ属性、ｎａｖＲｉｇｈｔＤｏｗｎ属性に基づいて、前記操作信号を供給するリモコン装置の複数の方向キーが押下された後に現在の前記フォーカスが当たっているオブジェクトから、どのオブジェクトにフォーカスが移動するかを予測して知らせるための信号を生成することを特徴とする請求項１記載の光ディスク装置。
【請求項７】
前記処理部は、前記光ディスクがスタンダードコンテンツであるときは、前記読取部が読み取った読取信号の中のプレゼンテーションデータ内のハイライト情報内のＡＪＢＴＮ＿ＰＯＳＩ情報のＵｐｐｅｒ  Ｂｕｔｔｏｎ  ｎｕｍｂｅｒ値、Ｌｏｗｅｒ  Ｂｕｔｔｏｎ  ｎｕｍｂｅｒ値、Ｌｅｆｔ  Ｂｕｔｔｏｎ  ｎｕｍｂｅｒ値、Ｒｉｇｈｔ  Ｂｕｔｔｏｎ  ｎｕｍｂｅｒ値に基づいて、前記操作信号を供給するリモコン装置の複数の方向キーが押下された後に現在の前記フォーカスが当たっているオブジェクトから、どのオブジェクトにフォーカスが移動するかを予測して知らせるための信号を生成することを特徴とする請求項１記載の光ディスク装置。
【請求項８】
コンテンツ情報を格納した光ディスクと、
前記光ディスクを格納しレーザ光を照射して前記光ディスクからの反射光を読み取ることで前記コンテンツ情報を読み出す読取部と、
前記読取部が読み取った前記コンテンツ情報及び与えられる操作信号に基づいて、現在のフォーカスが、画面上の複数のオブジェクトの中のどれに当たっているかを管理する管理部と、
画面上の複数のオブジェクトの中からどのオブジェクトにフォーカスが当たっているかを表示させる機能を前記コンテンツ情報がもっていない場合でも、前記フォーカスが当たっているオブジェクトを知らせるための信号を生成する処理部と、
を具備することを特徴とする光ディスク装置。
【請求項９】
コンテンツ情報を格納した光ディスクから前記コンテンツ情報を読み出し、
前記コンテンツ情報及び与えられる操作信号に基づいて、現在のフォーカスが、画面上の複数のオブジェクトの中のどれに当たっているかを管理し、
画面上の複数のオブジェクトの中からどのオブジェクトにフォーカスが当たっているかを表示させる機能を前記コンテンツ情報がもっていない場合でも、前記フォーカスが当たっているオブジェクトを知らせるための信号を生成することを特徴とする光ディスク処理方法。
【請求項１０】
前記フォーカスが当たっているオブジェクトを知らせるために、少なくとも、前記画面上に表示されるオブジェクトの色彩情報と、前記オブジェクトを特定する文字情報と、前記オブジェクトの動画情報と、前記オブジェクトを特定する音声情報との内の一つを生成することを特徴とする請求項９記載の光ディスク処理方法。
【発明の詳細な説明】
【技術分野】
【０００１】
この発明は、光ディスク装置に関し、特に、コンテンツ再生時の画面中の複数のオブジェクトからフォーカスが当たっているオブジェクトを強調表示する光ディスク装置及び光ディスク処理方法に関する。
【背景技術】
【０００２】
現在、ＤＶＤからＨＤ ＤＶＤへの移行が始まっており、ＨＤ ＤＶＤ規格では一層複雑なオブジェクト配置やフォーカスの移動ルールを設定することができる。当然コンテンツクリエータは、ユーザが戸惑わないようなオブジェクト配置やフォーカス移動ルールを設定するように心がけるべきであるが、時には、今どのオブジェクトにフォーカスが当たっているのかがわからない、次に下方向操作を行ったらどのオブジェクトにフォーカスが移るのかがわからない、といった状況が起こりうる。
【０００３】
例えばインターネット上のホームページであれば、オブジェクト配置が複雑であったとしても、マウスカーソルによるオブジェクトの直接指定が可能であり、その方法が一般的であるから、それほど不便を感じない。しかしＨＤ ＤＶＤ-Videoの鑑賞では、マウスカーソルによるオブジェクト指定よりも方向キーによるオブジェクト指定が一般的になるであろうことが予想されるため、インターネット上のホームページと同程度の複雑さであったとしても、ユーザが被る不便さは遥かに高いと考えられる。このような光ディスク装置の操作性を補足するものとして、様々な技術が知られている。
【０００４】
特許文献１は、光ディスク装置のリモコン上の使用不可能キーを、画面上にゴースト表示するものである。これにより、ユーザが使用不可能であることを知らずに使用不可能キー操作してしまい、操作ができずに混乱を生じるような不具合を解消するものである。
【特許文献１】特開平１１−２３８３６７号公報
【発明の開示】
【発明が解決しようとする課題】
【０００５】
しかし、特許文献１の従来技術では、本発明が課題とする画面上のフォーカスが当たっているオブジェクトをユーザに認識させるという機能は示されていない。すなわち、光ディスクが格納するコンテンツ情報に、現在のフォーカスが当たっているオブジェクトをユーザに認識させるべく当該オブジェクトを強調表示させるという機能をもっていない場合、ユーザは、どのオブジェクトにフォーカスが当たっているかを知ることができないという問題がある。
【０００６】
更に、ＨＤ ＤＶＤ-Video規格では、フォーカス移動ルールというのは厳密に規定されており、必ずオブジェクトを選択できるような仕組み（オブジェクトからオブジェクトに必ず移り、オブジェクトが選択されていない状況が起こらない）になっている。しかし、そのようなフォーカス移動ルールがあっても、実際に操作してみなければ、「次に下方向操作を行ったらどのオブジェクトにフォーカスが移るのかがユーザにわからない」という問題がある。
【０００７】
本発明は、現在のフォーカスが当たっているオブジェクトをハイライト表示し、次の操作によるフォーカスされるオブジェクトの遷移予測を表示する光ディスク装置及び光ディスク処理方法を提供することを目的とする。
【課題を解決するための手段】
【０００８】
課題を解決するための一実施形態は、
光ディスクからの反射光を読取って読取信号を出力する読取部（１４）と、
前記読取部が読み取った読取信号及び与えられる操作信号に基づいて、現在のフォーカスが、画面上の複数のオブジェクト（Ａ〜Ｇ）の中のどれに当たっているかを管理する管理部（１１）と、
前記フォーカスが当たっているオブジェクトを知らせるための信号を生成する処理部（１２−１，１３−１）と、を具備することを特徴とする光ディスク装置である。
【発明の効果】
【０００９】
コンテンツに表示機能がなくとも、ユーザは現在のフォーカスが当たっているオブジェクトを知ることができる。また、リモコンの方向キーに応じたフォーカスの移動先のオブジェクトを予め画面上で知ることができる。
【発明を実施するための最良の形態】
【００１０】
以下、この発明の実施の形態について図面を参照して詳細に説明する。
【００１１】
＜本発明の一実施形態に係る光ディスク装置＞
（ＨＤ ＤＶＤの概要）
図１は、本発明の一実施形態に係るＨＤ ＤＶＤ再生装置の概要の一例を示す説明図である。ＨＤ ＤＶＤとは、ＤＶＤの次世代規格であり、映像や音声の高品質化、リモコンＲ等によるインタラクティブ性の向上、ネットワークサポートなどを特徴とする。図１に示すように、ＨＤ ＤＶＤ再生装置１０は、サポートする映像や音声のコーデック（圧縮形式）も豊富になり、ＡＰＩ（規格で規定されたファンクション群）も充実しているため、コンテンツ制作者は、より魅力的で多様なコンテンツを実現することが可能となっている。こういった利点から、現行のＤＶＤからＨＤ ＤＶＤへの移行が急速に進んでいる。
【００１２】
（スタンダードコンテンツとアドバンスドコンテンツ）
図２は、本発明の一実施形態に係るＨＤ ＤＶＤのコンテンツの概要の一例を示す説明図である。ＨＤ ＤＶＤ規格では、図２に示すように、スタンダードコンテンツやアドバンスドコンテンツと呼ばれる２種類のコンテンツを規定している。
【００１３】
スタンダードコンテンツは現行のＤＶＤ規格の拡張版という位置付けであり、データ構成等は現行のものに近く、従来のＤＶＤ制作を行っていたスタジオ等には受け入れられやすいと考えられる。ただし、映像や音声の高品質化や使用可能なナビコマンド（タイトルジャンプやメニュなどで使用される命令群）の拡張といった特徴を持つ。
【００１４】
一方、アドバンスドコンテンツは、現行ＤＶＤとは全く異なったコンテンツとなっている。アドバンスドコンテンツでは、スタンダードコンテンツでも見られるような映像や音声の高品質化に加えて、まるでインターネット上のホームページのように、再生制御情報をＸＭＬやＥＣＭＡスクリプトといったプログラミング言語で表現する仕組みになっている。また、従来ではコンテンツ再生に必要なデータは全て光ディスクＤから読み込まなければいけなかったが、ＨＤ ＤＶＤのアドバンスドコンテンツでは、図１に示すように、光ディスクＤに加えてパーシステントストレージ（一時保存用のメモリ）Ｐから読み込んだり、ネットワークＮからデータをダウンロードして再生に利用することが可能となっている。
【００１５】
このようにＨＤ ＤＶＤには２種類のコンテンツが規定されており、それぞれデータ構造等も異なる。本発明の一実施形態であるフォーカスガイド処理は、コンテンツの再生制御情報に関わるので、２種類のコンテンツそれぞれで実現方法が異なる。
【００１６】
（フォーカスガイド処理の概要）
次に、本発明の一実施形態であるフォーカスガイド処理の概要を３つのフローチャートを用いて以下に詳細に説明する。
【００１７】
・スタンダードコンテンツとアドバンスドコンテンツの識別
図３は、本発明の一実施形態に係るＨＤ ＤＶＤ再生装置のスタンダードコンテンツとアドバンストコンテンツの識別処理の一例を示すフローチャートである。
【００１８】
初めに、ＨＤ ＤＶＤ再生装置１０は、図６及び図２５で詳細に後述するようにフォーカスガイド処理を管理するナビゲーション管理部１１と、ガイド信号を生成するプレゼンテーション処理部１２と、映像音声処理部１３と、光ディスクＤに対して記録し再生するデータアクセス管理部１４を少なくとも有しており、図７で後述するリモコンＲを伴う操作部１６を有している。
【００１９】
ＨＤ ＤＶＤではスタンダードコンテンツ及びアドバンスドコンテンツという２種類のコンテンツが規定されているため、ＨＤ ＤＶＤ再生装置１０ではコンテンツ再生時に、スタート処理として、対象コンテンツがどちらのコンテンツなのかを識別する手順がとられる。図３のフローチャートにおいて、光ディスクＤを挿入すると（ステップＳ１１）、ＨＤ ＤＶＤ再生装置１０のナビゲーション管理部１１により、まずDISCID.DATというアドバンスドコンテンツのID等が記述されたファイルが存在するかの確認が行われる（ステップＳ１２）。存在すれば、ナビゲーション管理部１１は、対象コンテンツはアドバンスドコンテンツであると識別する（ステップＳ１３）。DISCID.DATが存在しなければ、ナビゲーション管理部１１は、続いてVMG_IDというスタンダードコンテンツのＩＤ情報が有効かどうかの確認を行なう（ステップＳ１４）。ナビゲーション管理部１１が有効と判断すれば、スタンダードコンテンツと判定する（ステップＳ１５）。そうでなければ、ナビゲーション管理部１１は、得体の知れないコンテンツ（ＨＤ ＤＶＤのアドバンスドコンテンツでもスタンダードコンテンツでもないもの）として識別し、振る舞いはＨＤ ＤＶＤ再生装置１０に依存して行なわれる（ステップＳ１６）。
【００２０】
・フォーカスガイド処理
次に、ナビゲーション管理部１１は、上記の判定に基づいてフォーカスガイド処理を行なう。詳細はスタンダードコンテンツとアドバンスドコンテンツに分けて後述するが、ここではフォーカスガイドの概要を示す。図４は、本発明の一実施形態に係るＨＤ ＤＶＤ再生装置のフォーカスガイドのユーザ操作待機時の処理の一例を示すフローチャートである。図５は、本発明の一実施形態に係るＨＤ ＤＶＤ再生装置のフォーカスガイド処理の概要の一例を示すフローチャートである。
【００２１】
フォーカスガイドとは、現在フォーカスが当たっているオブジェクトを強調し、８方向操作（上・下・左・右・左上・左下・右上・右下）によってフォーカスが遷移する先のオブジェクトを示すことにより、ユーザのフォーカス移動操作を支援するものである。ＨＤ ＤＶＤではインターネット上のホームページ等と同様、画面上に好きなようにボタン等を配置することができる。オブジェクト配置が複雑であっても、マウスカーソルを使用すれば目的のオブジェクトを容易に選択することができるが、フォーカス移動によってオブジェクト選択を行う場合には配置や移動規則が複雑だとユーザが混乱する恐れがある。そこで、必要に応じて矢印表示や音声ガイドを行うことにより、オブジェクト配置やフォーカス移動規則が複雑な場合でもスムーズに目的のオブジェクトにフォーカスを移動できるようにする。
【００２２】
フォーカスガイドのユーザ操作待機時の処理を、図４のフローチャートを用いて説明する。図４のフローチャートは、ユーザ操作のイベントが発生することから開始する（ステップＳ２１）。フォーカスガイドに関連するユーザ操作は、後述するリモコンＲのフォーカスガイドオンオフ切替ボタン４３を用いてフォーカスガイド機能を有効にするかどうかを選択する操作、フォーカスガイド方法選択ボタン４２を用いてフォーカスガイドをどのように行うか（矢印表示、音声ガイドといった選択肢を設ける）を選択する操作、そして方向キー４１を用いてフォーカス移動を行なう操作の３つである。ユーザ操作がそれ以外であればフォーカスガイドとは関係がなく、ＨＤ ＤＶＤ再生装置１０の既存の他のイベントリスナが処理を行う。
【００２３】
まず、ナビゲーション管理部１１は、ユーザ操作によるイベントがフォーカスガイドオン／オフ切替イベントかどうかを確認する（ステップＳ２２）。フォーカスガイドオン／オフ切替イベントであればその選択を反映させる（ステップＳ２３）。当該イベントがフォーカスガイドオン／オフ切換イベントでなかったら、次に、フォーカスガイド方法選択イベントかどうかを確認する（ステップＳ２４）。フォーカスガイド方法選択イベントであればその選択を反映させる（ステップＳ２５）。フォーカスガイド方法選択イベントでなかったら、次に、フォーカス移動イベントかどうかを確認する（ステップＳ２６）。フォーカス移動イベントであれば、フォーカス遷移規則に従ってフォーカスを移動（フォーカスが当たっているオブジェクトを更新）させる（ステップＳ２７）。そうでなければ他のイベントリスナに処理は移される。上記３つのイベント確認処理を行う順序は、順不同でかまわない。
【００２４】
そして、ナビゲーション管理部１１は、フォーカスガイドがオンであるかどうかを判断する（ステップＳ２８）。オンであればフォーカスガイド処理（ステップＳ２９）へ進み、オフであればイベント待機状態（ステップＳ２１）に戻る。
【００２５】
次に、フォーカスガイド処理において、図５のフローチャートに示すように、ナビゲーション管理部１１は、初めにフォーカスがどのオブジェクトに当たっているかを特定する（ステップＳ３１）。その後、ナビゲーション管理部１１は、後述するリモコンＲ等の方向キーの８方向操作によって次にどのオブジェクトにフォーカスが移るかを特定する（ステップＳ３２）。すなわち、上方向操作後のフォーカス遷移先のオブジェクトを特定し、下方向操作後のフォーカス遷移先のオブジェクトを特定し、右方向操作後のフォーカス遷移先のオブジェクトを特定し、左方向操作後のフォーカス遷移先のオブジェクトを特定し、左上方向操作後のフォーカス遷移先のオブジェクトを特定し、左下方向操作後のフォーカス遷移先のオブジェクトを特定し、右上方向操作後のフォーカス遷移先のオブジェクトを特定し、右下方向操作後のフォーカス遷移先のオブジェクトを特定する。
【００２６】
詳細は後述するが、ＨＤ ＤＶＤ規格ではフォーカス移動のルールが明確に規定されており、コンテンツ制作者が好きなようにフォーカスの移動先を設定することができるため、ここではそれらの情報をもとに計算し、フォーカスが当たっているオブジェクトおよびフォーカス遷移先オブジェクトの特定を行う。
【００２７】
フォーカスが当たっているオブジェクトおよび遷移先オブジェクトが特定できたら、プレゼンテーション処理部１２は、オブジェクトの配置やサイズ等の情報を取得する（ステップＳ３３）。そして、プレゼンテーション処理部１２は、ユーザが選択したフォーカスガイド方法に従って、具体的にどのようにフォーカスガイドを表現するのか（例えば、フォーカスが当たっているオブジェクトは（１００ｐｘ, １００ｐｘ）始点の４００×１００のボタンなので、その周り３ｐｘに黄色の縁を表示させる、など）といったレベルの詳細情報（フォーカスガイド用信号と呼ぶことにする）を生成する（ステップＳ３４）。
【００２８】
次に、映像音声処理部１３は、フォーカスガイド用の映像信号と通常の映像信号との重ね合わせ処理や、通常の音声とフォーカスガイド用の音声信号のミキシング処理等を行なう（ステップＳ３５）。映像音声処理部１３は、このフォーカスガイド用信号を映像信号や音声信号としてテレビモニタやスピーカ等に送り、矢印表示や音声ガイドといった形で出力される（ステップＳ３６）。以上が、フォーカスガイド処理の概要である。
【００２９】
＜アドバンストコンテンツ再生時のフォーカスガイド処理の詳細説明＞
次に、ＨＤ ＤＶＤ再生装置１０が行なうアドバンストコンテンツ再生時のフォーカスガイド処理を図面を用いて詳細に説明する。
【００３０】
（ＨＤ ＤＶＤ再生装置のアドバンストコンテンツ再生時の構成）  
初めに、ＨＤ ＤＶＤ再生装置１０のアドバンストコンテンツ再生時の処理部の構成の一例を図面を用いて説明する。図６は、本発明の一実施形態に係るＨＤ ＤＶＤ再生装置の構成の一例を示すブロック図である。図７は、本発明の一実施形態に係るＨＤ ＤＶＤ再生装置に用いられるリモコンの一例を示す外観図である。図８乃至図１３は、同じくフォーカスガイド処理のための構成の一例を示すブロック図である。
【００３１】
ＨＤ ＤＶＤ再生装置１０は、図６に示すように、フォーカスガイド処理や再生処理を管理するナビゲーション管理部１１と、ガイド信号等を生成するプレゼンテーション処理部１２を有している。更に、ＨＤ ＤＶＤ再生装置１０は、映像音声信号にスケール変換処理、映像補正処理等の処理を行なう映像音声処理部１３と、光ディスクＤを格納しレーザ光を照射して光ディスクからの反射光を読み取ることで光ディスクＤに格納されたコンテンツ情報を読み出したりデータを記録するデータアクセス管理部１４と、光ディスクＤ等から読み取った読取信号等を格納するデータキャッシュ１５と、図７に示すリモコンＲを伴う操作部１６を有している。
【００３２】
また、リモコンＲは、図７に示すように、８方向キー４１、すなわち、左上方向キー４１−Ａ、上方向キー４１−Ｂ、右上方向キー４１−Ｃ、右方向キー４１−Ｄ、右下方向キー４１−Ｅ、下方向キー４１−Ｆ、左下方向キー４１−Ｇ、左方向キー４１−Ｈを有している。更に、リモコンＲは、フォーカスガイド方法選択ボタン４２、フォーカスガイドオンオフ切換えボタン４３を有している。
【００３３】
このような構成を有するＨＤ ＤＶＤ再生装置１０の基本的な動作として、アドバンストコンテンツの再生処理の概要を先に説明する。
【００３４】
ＨＤ ＤＶＤ再生装置１０は、アドバンスドコンテンツでは光ディスクＤに加え、パーシステントストレージＰ（一時保存用のメモリ）やネットワークＮからデータを読み込むことが可能である。これらのデータソースにあるＨＤ ＤＶＤのフォーマットに従ったデータは、データアクセス管理部１４を介して、ナビゲーション管理部１１、データキャッシュ１５、プレゼンテーション処理部１２に振り分けられる。
【００３５】
ナビゲーション管理部１１は、再生制御を司る管理部であり、データアクセス管理部１４からＸＭＬやＥＣＭＡスクリプトで記述された再生制御ファイル等を取得する。直接ではなく、データキャッシュ１５に一旦ロードされてから取得するという場合もある。
【００３６】
ナビゲーション管理部１１は、これらＸＭＬやＥＣＭＡスクリプトで記述された再生制御ファイルの内容を解釈する。そして、ナビゲーション管理部１１は、解釈した再生制御情報に基づいた命令を、プレゼンテーション処理部１２に出力して、再生制御に利用する。
【００３７】
また、ナビゲーション管理部１１は、リモコンＲのボタン操作などといったユーザオペレーションを受けて、それを再生制御命令に加工してプレゼンテーション処理部１２に出力する。データキャッシュ１５は、再生に使用されるデータを仮置きしておくためのメモリである。
【００３８】
プレゼンテーション処理部１２は、再生制御命令や再生で使用されるデータから、実際にどういった映像や音声の出力を行うかを決定し、映像や音声のデータを再生に利用できる情報に変換する構成である。もともと光ディスク等に格納されている再生用データは、映像や音声などが多重化（マルチプレックス）されたものとなっているため、そのままでは再生に利用できない。そこで、プレゼンテーション処理部１２は、再生に必要な映像・音声等のデータを選別し、マルチプレックスされたデータを元に戻すデマックス処理等を行う。
【００３９】
デマックス処理で作成されたデータは、様々なコーデック（圧縮方式）で符号化されているので、これをデコード（復号）する。プレゼンテーション処理部１２は、こうしてできたデータとナビゲーション管理部１１からの再生制御命令に基づいて、再生用データ等を映像音声処理部１３に順次出力していく。
【００４０】
映像音声処理部１３は、再生用データを受けて、映像の重ね合わせ処理や音声のミキシング処理を行う。映像音声処理部１３から出力される映像信号及び音声信号に従って、テレビモニタやスピーカから映像や音声が出力される。
【００４１】
（ＨＤ ＤＶＤ再生装置のアドバンストコンテンツ再生時のフォーカスガイドの構成）  
次に、ＨＤ ＤＶＤ再生装置１０のアドバンストコンテンツ再生時のフォーカスガイドの構成を図８乃至図１４を用いて説明する。図８乃至図１４は、本発明の一実施形態に係るＨＤ ＤＶＤ再生装置のフォーカスガイド処理のための構成の一例を示すブロック図である。
【００４２】
本発明の一実施形態に係るフォーカスガイド処理を行なうべく、図８に示すように、５つの新たな構成を更に有するものである。すなわち、ナビゲーション管理部１１は、図８に示すように、フォーカスガイドコントローラ１７−１を含むユーザインタフェース処理部１７と、フォーカスガイド管理部１８−１及びデクラティブ処理部１９を含むアドバンストアプリケーション管理部１８を更に有する。また、プレゼンテーション処理部１２は、フォーカスガイドインフォメーション処理部１２−１を更に有し、映像音声処理部１３は、フォーカスガイドディスプレイ処理部１３−１を更に有する。
【００４３】
これらの新たな各構成を、図９乃至図１３に沿って順次説明していく。操作部１６，リモコンＲは、図９に示すように、フォーカスガイド用ユーザインタフェースである。操作部１６，リモコンＲは、ユーザがフォーカスガイド機能を使用するかどうか、また使用するのであればどのようなガイドにするのか（矢印で移動先を表示する方法や音声で案内する方法など）を選択ボタン４２，４３等を用いて選択して、選択信号をフォーカスガイドコントローラ１７−１に供給する。操作部１６は、ＨＤ ＤＶＤ再生装置１０の本体に設けられている図示しない操作スイッチ等をもち、図７に示すリモコンＲとの通信機能をもつ。また、操作方法は、操作部１６及びリモコンＲの方向キー４１等を用いる方法でも良いし、音声入力等を用いることも好適である。
【００４４】
フォーカスガイドコントローラ１７−１は、図１０に示すように、操作部１６等から供給されたユーザ選択信号に応じて、その後の処理を分岐させるための構成である。ユーザがリモコンＲのフォーカスガイドオンオフ切換えボタン４３等の操作を介して「フォーカスガイドを使用する」を選択している場合には、フォーカスガイド処理開始の命令を後述のフォーカスガイド管理部１８−１に出力し、ユーザが選択したフォーカスガイド方法を示す情報を後述のフォーカスガイドインフォメーション処理部１２−１に出力する。ユーザが「使用しない」を選択している場合には、フォーカスガイドは行わず、ユーザオペレーション待機状態に戻る。
【００４５】
フォーカスガイド管理部１８−１は、図１１に示すように、後述するデクラティブ処理部１９から属性信号を取得することで、現在フォーカスが当たっているオブジェクトを特定し、８方向操作によって移動する先のオブジェクトを求めるための構成である。また、フォーカスガイド管理部１８−１は、各オブジェクトの配置やサイズといったフォーカスガイド表示に必要な情報も取得する。
【００４６】
デクラティブ処理部１９は、光ディスクＤからのコンテンツ情報及び操作部１６からの操作信号に基づいて、フォーカスが当たっているオブジェクトのstate:focusedという属性の情報の遷移を管理している。
【００４７】
すなわち、フォーカスが当たっているオブジェクトのstate:focusedという属性の値は”true”になり、同時に２つ以上のオブジェクトにフォーカスが当たることはない。従って、フォーカスガイド管理部１８−１は、デクラティブ処理部１９が管理しているstate:focusedの値を取得し、これに基づいて、フォーカスが当たっているオブジェクトを特定する。
【００４８】
また、フォーカスガイド管理部１８−１は、８方向操作によってフォーカスが遷移する先のオブジェクトを特定するために、ＸＭＬやＥＣＭＡスクリプトで記述されたＨＤ ＤＶＤアドバンスドコンテンツの再生制御情報であるPlaylist, Manifest, Markup, Script等のファイルの中身を解釈する。
【００４９】
ＨＤ ＤＶＤ規格ではフォーカス移動に関する規則が厳密に定義されており、上記再生制御ファイルを解釈することにより移動先のオブジェクトを特定することができる。また同様に、各オブジェクトの配置やサイズといった情報も再生制御ファイルを解釈することにより取得することができる。フォーカスガイド管理部１８−１が特定した情報（フォーカスが当たっているオブジェクトの情報や遷移先オブジェクトの情報、各オブジェクトの配置やサイズの情報など）は、後述のフォーカスガイドインフォメーション処理部１２−１に供給される。
【００５０】
フォーカスガイドインフォメーション処理部１２−１は、図１２に示すように、フォーカスガイド管理部１８−１から送られる情報やユーザの選択したフォーカスガイド方法の情報に基づいて、フォーカスガイド出力に用いる具体的な情報（フォーカスガイド用信号）を生成し、後述のフォーカスガイドディスプレイ処理部１３−１に出力する構成である。
【００５１】
ここで、フォーカスガイド用信号の内容は、例えば「グラフィックとして（４００, ２００）を始点とした矢印を表示させる」というような具体的な映像や音声の情報である。
【００５２】
フォーカスガイドディスプレイ処理部１３−１は、図１３に示すように、フォーカスガイドインフォメーション処理部１２−１からフォーカスガイド用信号を取得し、テレビモニタやスピーカなどに映像信号や音声信号を供給する構成である。
【００５３】
グラフィック出力を用いる場合には、フォーカスガイドディスプレイ処理部１３−１は、グラフィック出力用の既存の処理部（グラフィックレンダリング処理部）に組み込む構成をとってもよく、また、独自のプレーン（フォーカスガイドプレーン）を用意し、それが最前面に表示される仕組みを独立に実装することも好適である。
【００５４】
つまり、フォーカスガイドディスプレイ処理部１３−１は、図１４に示すように、フォーカスガイドプレーンＰ１、カーソルプレーンＰ２、グラフィックプレーンＰ３、字幕プレーンＰ４、サブビデオプレーンＰ５、メインビデオプレーンＰ６等の複数のプレーンを合成して合成画像ＰＰを生成する。そして、それらを重ねて上から見るようなイメージでテレビモニタ３１等に表示を行うことが好適である。
【００５５】
一方、音声出力の場合は、フォーカスガイドを使用する際には他の音声を全てオフにしてしまうという方法が好適である。また、音声ミキシング（音声重ね合わせ）の仕組みを導入し、通常の音声に加えてフォーカスガイド用の音声も流れるような仕組みにすることも好適である。
【００５６】
以上、図面を用いて説明したように、一例として、ＨＤ ＤＶＤ再生装置１０において、図８に示すような５つの新たな構成（フォーカスガイドコントローラ１７−１，フォーカスガイド管理部１８−１，デクラティブ処理部１９，フォーカスガイドインフォメーション処理部１２−１，フォーカスガイドディスプレイ処理部１３−１等）を更に有し、これを動作させることで、本発明の一実施形態に係るフォーカスガイド処理が行なわれる。
【００５７】
これにより、特に、オブジェクトのフォーカス情報であるフォーカスガイドプレーンＰ１を生成して画面表示する。これにより、図１８及び図２２乃至図２４で詳細に説明するように、現在のフォーカスが当たっているオブジェクトがどれであるかを表示する機能、及びリモコンＲ等の方向キー４１等を操作した場合、どのオブジェクトに遷移するかを予測する機能が提供される。
【００５８】
（ＨＤ ＤＶＤ再生装置のアドバンストコンテンツ再生時のフォーカスガイドの処理）  
次に、これらフォーカスされたオブジェクトのハイライト機能及びフォーカスオブジェクトの遷移予測機能を、図１８及び図２２乃至図２４の表示画面の例及び図１９乃至図２１のフローチャートを用いて再び詳細に説明する。
【００５９】
ここで、図１５は、本発明の一実施形態に係るＨＤ ＤＶＤ再生装置のオブジェクトの配置の一例を示す説明図である。図１６は、同じくMarkup設定の一例を示す説明図である。図１７は、同じくnavIndexの設定の一例を示す説明図である。図１８は、同じくフォーカスガイドの一例を示す説明図である。更に、図１９乃至図２１は、同じくアドバンストコンテンツに対するフォーカスガイド処理の一例を示すフローチャートである。図２２乃至図２４は、同じくフォーカスガイドの一例を示す説明図である。
【００６０】
ＨＤ ＤＶＤ再生装置１０は、図１９のフローチャートに示すように、デクラティブ処理部１９が、state:focused属性の値により、フォーカスが当たっているオブジェクトが何かを管理されている。フォーカスが当たっているオブジェクトは２つ以上存在せず、フォーカスが当たっているオブジェクトのみstate:focusedの値が”true”であり、他は全て”false”である。従って、フォーカスガイド管理部１８−１が、各オブジェクトのstate:focused値を確認し、“true”であるオブジェクトをフォーカスが当たっているオブジェクトと特定する（ステップＳ４１）。
【００６１】
なお、ＸＭＬ言語で記述されたMarkupと呼ばれる再生制御ファイルには各オブジェクトの配置や背景色といった属性情報が記述され、その中の１つとして、state:focused属性の設定も行うことができる。つまり、例えばあるボタンにstate:focused=”true”と記述することによりそのボタンにフォーカスを当てることができる。しかしこれは初期値という意味であり、ユーザ操作等によってフォーカスは遷移するため、そのようなフォーカス移動が行われた際にはstate:focusedの値も更新される。
【００６２】
次に、フォーカスガイド管理部１８−１は、フォーカス遷移先オブジェクトを特定する。
【００６３】
すなわち、リモコンＲの８方向キー４１の操作に応じて、次にどのオブジェクトにフォーカスが遷移するのかを特定するプロセスである。ＨＤ ＤＶＤ規格ではフォーカス遷移の規則が厳密に規定されているので、本発明ではその規則に準じて計算を行い、あらかじめ遷移先オブジェクトを特定する。
【００６４】
ここで、図１６に、Markupと呼ばれるＸＭＬ言語で記述された再生制御ファイルの一部抜粋を上げる。ただし、簡単のために、フォーカスガイドに関係のないものはカットしている。Markupには、画面上に貼り付けるオブジェクトの配置等の情報が記述される。例のようなMarkup記述をした場合、図１５に示すように、７つのボタンが画面上に配置される。
【００６５】
フォーカス遷移に関係のある情報は、主に、オブジェクトの画面上での配置、style:navIndexの値、遷移先指定属性（style:navUp／navDown／navLeft／navRight／navLeftUp／navLeftDown／navRightUp／navRightDown）の３点である。
【００６６】
フォーカスガイド管理部１８−１は、現在、フォーカスが当たっているオブジェクトに対して、Markupという再生制御ファイルから、遷移先指定属性を確認していく。すなわち、フォーカスガイド管理部１８−１は、図１６に示されるMarkupという再生制御ファイルから、現在、フォーカスが当たっているオブジェクトに関する記述を参照し、この記述について、ｎａｖＵｐが設定されているかどうかを判断する（ステップＳ４２）。設定されていれば、フォーカスガイド管理部１８−１は、ｎａｖＵｐ属性で指定されているオブジェクトを上方向走査後のフォーカス遷移先オブジェクトとして特定する（ステップＳ４３）。設定されていなければ、ステップＳ４３のプロセスをジャンプして、ステップＳ４４の判断処理に移動する。
【００６７】
同様に、フォーカスガイド管理部１８−１は、Markupという再生制御ファイルから、現在、フォーカスが当たっているオブジェクトに関する記述を参照し、この記述について、ｎａｖＤｏｗｎ、ｎａｖＬｅｆｔ、ｎａｖＲｉｇｈｔ、ｎａｖＤｏｗｎ、ｎａｖＬｅｆｔＵｐ、ｎａｖＬｅｆｔＤｏｗｎ、ｎａｖＲｉｇｈｔＵｐ、ｎａｖＲｉｇｈｔＤｏｗｎに関して順次、設定されているかどうかを判断する（ステップＳ４４，ステップＳ４６，ステップＳ４８，ステップＳ５０，ステップＳ５２，ステップＳ５４，ステップＳ５６）。
【００６８】
そして、設定されていれば、その属性で指定されているオブジェクトをその方向走査後のフォーカス遷移先オブジェクトとして特定する（ステップＳ４５，ステップＳ４７，ステップＳ４９，ステップＳ５１，ステップＳ５３，ステップＳ５５，ステップＳ５７）。設定されていなければ、フォーカス遷移先オブジェクトとして特定するプロセスをジャンプして、次の判断処理に移動する。
【００６９】
ここで、遷移先指定属性は、「当該オブジェクトにフォーカスが当たっている場合に次に○方向操作を行うと××オブジェクトにフォーカスが遷移する」といったことを規定している。遷移先指定属性が設定されている場合には、この設定がフォーカス遷移の第１優先となる。
【００７０】
この実施形態の場合には、ボタンＡにnavLeft＝“App１#buttonB”, navRight＝“App１#buttonD”などが設定されているので、ボタンＡにフォーカスが当たっている場合に、左方向操作を行ったらボタンＢに、右方向操作を行ったらボタンＤにフォーカスは遷移する。
【００７１】
更に、フォーカスガイド管理部１８−１は、navIndex値に基づくフォーカス遷移先の特定を行なう（ステップＳ５８）。すなわち、上述した遷移先指定属性が設定されていない方向の遷移先は、このnavIndexと呼ばれる値に基づいて特定される。navIndexとは、２つの正整数パラメータが対になったものである。この対の値に対し、右方向操作は「第１パラメータの値が次に大きいオブジェクトに遷移」することを意味し、左方向操作は「第１パラメータの値が次に小さいオブジェクトに遷移」、下操作は「第２パラメータの値が次に大きいオブジェクトに遷移」、上操作は「第２パラメータの値が次に小さいオブジェクトに遷移」することをそれぞれ意味する。
【００７２】
navIndexの値は、各オブジェクトに対し、Markupで明示的に設定することが可能である。例えばstyle:navIndex=“３，４”とすれば、そのオブジェクトのnavIndex値が（３,４）に設定される。navIndexがMarkupで明示的に設定されなかった場合には、オブジェクトの配置されている始点（左上の点）のｘ, y座標に基づいてnavIndex値が全てのオブジェクトに対し自動的に割り振られる。また、style:navIndex=”none”を設定した場合には、そのオブジェクトにはフォーカスが遷移しないことを意味し、navIndexとして対の正整数は割り振られない。
【００７３】
図１６が示すMarkupの場合、ボタンＥのみstyle:navIndex=”none”が設定されており、それ以外のオブジェクトでは設定されていない。従って、navIndex値は図１７のように設定される。このnavIndex値に基づくフォーカス遷移を考えると（遷移先指定属性が設定されていなければ）、例えば現在ボタンＡにフォーカスが当たっていたとすると、下操作によりＡ→Ｃ→Ｄ→Ｆ→Ｇ→Ｂ→Ａ…というようにフォーカスが移動していくことになる。ただし、図１６が示すMarkupの場合、ボタンＡ, Ｂ, Ｃ，Ｄには遷移先指定属性が設定されているので、この通りにはならない。規格では、navIndex値よりも遷移先指定属性の方が優先されることになっているので、あくまでステップＳ４２〜Ｓ５７のステップで特定されなかった方向のフォーカス遷移先のみnavIndex値に基づく計算によって特定される。
【００７４】
以上の規則に従ってフォーカスの遷移は行われるので、navIndex値と遷移先指定属性の値から次にフォーカスが遷移する先のオブジェクトをあらかじめ特定することができる。
【００７５】
・その他、フォーカスガイドに必要な情報の取得
フォーカスガイドに必要な最低限の情報は、上述したステップＳ４１乃至ステップＳ５８で取得できるが、フォーカスガイド方法によってはさらにいくつかの情報を取得したい場合が出てくる。例えば図１８のフォーカスガイドの場合のように、フォーカスが当たっているオブジェクトのまわりに縁を表示して強調したり、遷移先オブジェクトの右上に「どの操作を行ったらそのオブジェクトにフォーカスが遷移するか」を表示したりする方法をとる場合には、「フォーカスが当たっているオブジェクトの位置およびサイズ」「遷移先オブジェクトの位置およびサイズ」という情報が追加で必要になる。
【００７６】
このような場合は、フォーカスガイド管理部１８−１は、オブジェクトの位置情報はstyle:ｘやstyle:ｙの値、サイズ情報はstyle:widthやstyle:heightの値から求める（ステップＳ５９）。厳密にはこれほど単純ではないのでここでは割愛するが、位置やサイズを特定する機能は既存のＨＤ ＤＶＤ再生装置１０の必須機能であるので、そちらの情報を用いることが好適である。
【００７７】
・フォーカスガイド用信号作成
ステップＳ４１からステップＳ５９までの工程により、フォーカスガイドに必要な情報は全て取得された。次は、フォーカスガイドインフォメーション処理部１２−１が、それらの情報およびユーザによって選択されたフォーカスガイド方法に基づいて、フォーカスガイド用の信号を作成する（ステップＳ６０）。図１８のフォーカスガイドの例では、フォーカスが当たっているオブジェクトの周り６ptに黒色の縁を表示し、フォーカス遷移先オブジェクトの右上角部にどの方向操作を行ったらそのオブジェクトにフォーカスが遷移するかを表示している。このように、フォーカスガイドインフォメーション処理部１２−１は、フォーカスガイドの詳細を決定し、順次再生信号をフォーカスガイドディスプレイ処理部１３−１に供給する。
【００７８】
・映像重ね合わせ／音声ミキシングから出力
フォーカスガイドの最後のステップは、フォーカスガイドディスプレイ処理部１３−１が、フォーカスガイドインフォメーション処理部１２−１から受けた再生信号に基づいて、フォーカスガイドプレーンを生成する。
【００７９】
図１８が示すフォーカスガイドの例では、フォーカスが当たっているオブジェクトの縁を強調・遷移先オブジェクトの右上にそのオブジェクトにフォーカスを遷移するための操作を表示することによってフォーカスガイドを実現している。このような表示によるガイドを実現するためには、フォーカスガイドディスプレイ処理部１３−１が、図１４に示した映像の重ね合わせを用い、テレビモニタへの出力を行う。
【００８０】
その際、フォーカスガイド用のプレーンを独立に用意しても良いし、グラフィックプレーンに合わせこんで実現しても良い。ただし、これはあくまで特徴的な手法の一例であって、カーソルプレーンに合わせこむなどの方法を用いても良い。フォーカスガイド用のプレーンは、フォーカスが当たっているオブジェクトを知らせるために、少なくとも、画面上に表示されるオブジェクトの色彩情報、また、オブジェクトを特定する文字情報、また、オブジェクトの動画情報、また、オブジェクトを特定する音声情報を生成することが好適である。
【００８１】
また、ここで挙げた例には必要ないが、音声ガイドを用いる場合には、音声のミキシングを行った後にスピーカへの出力を行うのが一般的である。この時、音声ガイド以外の音声を完全にオフにしてフォーカスガイド用音声だけ流すといった方法をとっても良いし、フォーカスガイド以外の通常の音声とミキシングして出力する方法をとっても良い。以上がフォーカスガイドの各プロセスの詳細解説である。
【００８２】
（他のフォーカスガイドの例）
フォーカスガイドは上記例で示した表示に限らず、ユーザのフォーカス操作を支援できるものであればどんな形式でもかまわない。図２２、図２３、図２４にフォーカスガイドの例の一部を示す。
【００８３】
図２２が示すフォーカスガイドの例では、フォーカスが当たっているオブジェクトの縁を強調表示し、遷移先オブジェクトを８方向矢印によって示している。図２３が示すフォーカスガイドの例では、フォーカスが当たっているオブジェクトに記号（ハートマーク）を表示することによって示し、遷移先オブジェクトの左上端にどんな操作を行ったらそのオブジェクトにフォーカスが移るかを表示することによって示している。また、図２４が示すフォーカスガイドの例では、矢印コネクタを用いて遷移先オブジェクトを示している。
【００８４】
更に、フォーカスガイド表示部分の透過率を変更しても良いし、色などで区別できるような仕組みにしても良い。オブジェクトの背景画像を変更して示しても良いし、表示に限らず、音声ガイドでもかまわない。「右方向操作を行うとこちらのボタンにフォーカスが遷移します」という音声とともに該当するボタンが光るというような、映像と音声を両方とも用いた形式、他の特徴を組み合わせた形式も考えられる。
【００８５】
このように、フォーカスガイドの出力方法は多々考えられるが、いずれの場合でも、上記の実施形態で説明した「現在フォーカスが当たっているオブジェクトの特定」及び「８方向操作によってフォーカスが遷移する先のオブジェクトの特定」の処理がなされる。このとき注目すべきは、光ディスクＤが格納しているコンテンツ情報が画面上の複数のオブジェクトの中からどのオブジェクトにフォーカスが当たっているかを表示させる機能をもっていない場合でも、フォーカスが当たっているオブジェクトを知らせるための信号を生成するものである。
【００８６】
すなわち、スタンダードコンテンツ及びアドバンスドコンテンツいずれの場合でも、上述した手順でオブジェクトの特定及び遷移先のオブジェクトの特定が行なわれ、これにより、フォーカスガイドが生成される。これによってユーザは、容易にフォーカスが当たっているオブジェクトを知ることができ、キー操作によるフォーカスの遷移先のオブジェクトを事前に知ることができる。
【００８７】
＜スタンダードコンテンツ再生時のフォーカスガイド処理の詳細説明＞
次に、ＨＤ ＤＶＤ再生装置が行なうスタンダードコンテンツ再生時のフォーカスガイド処理を図面を用いて詳細に説明する。図２５は、本発明の一実施形態に係るＨＤ ＤＶＤ再生装置のスタンダードコンテンツの再生処理の概要を示す説明図である。
【００８８】
（ＨＤ ＤＶＤ再生装置のスタンダードコンテンツ再生時の構成）  
ＨＤ ＤＶＤ再生装置１０（スタンダードコンテンツ部）は、アドバンスドコンテンツとは異なりスタンダードコンテンツに対しては、データソースとしてパーシステントストレージ（一時保存用メモリ）やネットワークをサポートせず、光ディスクＤからの読み込みのみとなっている。またデータ構成等は、現行ＤＶＤと類似した形態をとっている。
【００８９】
すなわち、ＨＤ ＤＶＤ再生装置１０のスタンダードコンテンツ処理部は、図２５に示すように、光ディスクＤから供給されるジェネラルコントロールデータ（データ構造等の全体制御用データ）と、エントリーサーチデータ（データアクセス用のポインタ等が含まれるデータ）と、ユーザインタフェースコントロールデータ（ユーザ操作を受けた場合の振る舞い等を規定するデータ）と、ナビゲーションコントロールデータ（タイトルジャンプのような再生制御用データ）と、プレゼンテーションデータ（映像や音声のデータ）を扱うものである。
【００９０】
ＨＤ ＤＶＤ再生装置１０のスタンダードコンテンツ処理部は、図２５に示すように、ナビゲーション管理部１１と、プレゼンテーション処理部１２と、映像音声処理部１３を有している。そして、ナビゲーション管理部１１は、ジェネラルコントロールデータを扱うジェネラルコントロールユニット２１と、エントリーサーチデータを扱うエントリーサーチユニット２２と、ユーザインタフェースコントロールデータを扱うユーザインタフェースコントロールユニット２３と、ナビゲーションコントロールデータを扱い操作部１６に接続されるナビゲーションコントロールユニット２４を有している。
【００９１】
更に、プレゼンテーション処理部１２は、光ディスクＤからのプレゼンテーションデータを扱っている。プレゼンテーションデータはアドバンスドコンテンツの場合と同様マルチプレックスされたデータとなっているので、プレゼンテーション処理部１２では、デマックス処理の後、デコード処理を行なう。そして、映像音声処理部１３により、再生に利用できる形式のデータに変換され、テレビモニタやスピーカに出力される。
【００９２】
再生制御に直接関わるような処理は、ナビゲーションコントロールユニット２４で行われ、必要に応じてジェネラルコントロールユニット２１、エントリーサーチユニット２２、ユーザインタフェースコントロールユニット２３、プレゼンテーション処理部１２等からの情報も利用される。
【００９３】
（ＨＤ ＤＶＤ再生装置のスタンダードコンテンツ再生時のフォーカスガイドの構成）  
次に、ＨＤ ＤＶＤ再生装置１０のスタンダードコンテンツ再生時のフォーカスガイドの構成を図２６乃至図３１を用いて説明する。図２６乃至図３１は、本発明の一実施形態に係るＨＤ ＤＶＤ再生装置のフォーカスガイド処理のための構成の一例を示すブロック図である。
【００９４】
本発明の一実施形態に係るフォーカスガイド処理を行なうべく、図２６に示すように、５つの新たな構成を更に有するものである。
【００９５】
すなわち、ナビゲーション管理部１１は、図２７及び図２８に示される機能を有するフォーカスガイドコントローラ２３−１を含むユーザインタフェース処理部２３と、図２９に示される機能を有するフォーカスガイド管理部２４−１及びシステムパラメータ２４−２を含むナビゲーションコントロールユニット２４を更に有する。また、プレゼンテーション処理部１２は、図３０に示す機能をもつフォーカスガイドインフォメーション処理部１２−１を更に有し、映像音声処理部１３は、図３１に示す機能をもつフォーカスガイドディスプレイ処理部１３−１を更に有する。
【００９６】
各部の機能はアドバンスドコンテンツの場合と同様だが、フォーカスが当たっているオブジェクトの特定や遷移先オブジェクトの特定などの方法および使用する情報がアドバンスドコンテンツの場合とは異なる。アドバンスドコンテンツの場合と異なる点の詳細は、図３２のフローチャートを用いて詳細に後述する。
【００９７】
操作部１６、フォーカスガイドコントローラ２３−１、フォーカスガイドディスプレイ処理部１３−１の目的および機能は、アドバンスドコンテンツの場合と同じである。しかし、フォーカスが当たっているオブジェクトの特定方法、フォーカス遷移先オブジェクトの特定方法、フォーカスガイドの詳細情報（例えば、各オブジェクトの位置やサイズの情報）の取得方法、これら３点の方法はアドバンスドコンテンツの場合と異なるので、ここではフォーカスガイド管理部２４−１およびフォーカスガイドインフォメーション処理部１２−１に焦点を当てて、図３２のフローチャートに従って詳細に説明する。
【００９８】
（ＨＤ ＤＶＤ再生装置のスタンダードコンテンツ再生時のフォーカスガイドの処理）  
・フォーカスが当たっているオブジェクトの特定
スタンダードコンテンツの場合、再生状況やメニュ言語設定などといった情報をＨＤ ＤＶＤ再生装置１０が保持するために、システムパラメータ２４−２と呼ばれるＨＤ ＤＶＤ再生装置１０が持っているメモリが用いられる。スタンダードコンテンツでは、フォーカスが当たるオブジェクトはボタンのみであり、どのボタンにフォーカスが当たっているかを示す情報は、システムパラメータＳＰＲＭ（８）２４−２がＨＬ＿ＢＴＮＮに保持することで管理している。
【００９９】
各ボタンにはユニークな番号が割り振られているので、フォーカスガイド管理部２４−１は、このシステムパラメータの値を参照することによって、フォーカスが当たっているボタンを一意的に特定できる（ステップＳ７１）。システムパラメータの初期値は１であり、１から４８までの値をとることができる。この値はユーザによるフォーカス移動操作などによって更新されるもので、システムパラメータＳＰＲＭ（８）２４−２により管理される。
【０１００】
・フォーカス遷移先オブジェクトの特定
スタンダードコンテンツでは、上下左右の４方向操作のみが許される。すなわち、斜め方向操作がどう振舞うかはＨＤ ＤＶＤ再生装置１０の実装依存であり、規格では規定されていない。各ボタンはプレゼンテーションデータのハイライト情報の中にAJBTN_POSIという情報を保持しており、その中に、Upper Button number（上方向操作を行った場合に遷移する先のボタン番号）, Lower Button number（下方向操作を行った場合に遷移する先のボタン番号）, Left Button number（左方向操作を行った場合に遷移する先のボタン番号）, Right Button number（右方向操作を行った場合に遷移する先のボタン番号）という値を持っている。
【０１０１】
フォーカスガイド管理部２４−１は、上方向、下方向、左方向、右方向について順次、これらの値を参照する（ステップＳ７２〜Ｓ７５）。これにより、フォーカスが移動する先のオブジェクトを特定することができる。アドバンスドコンテンツの場合と異なり、navIndexによるフォーカス遷移等は行われない。Upper Button number等に値が設定されていない場合は、そのボタン自身のボタン番号が割り当てられ、その方向操作によってフォーカス遷移は行われないことになる。
【０１０２】
・その他、フォーカスガイドに必要な情報の取得
フォーカスガイド管理部２４−１は、フォーカスが当たっているボタンの位置やサイズを特定するには、プレゼンテーションデータのハイライト情報に含まれる該当ボタンのBTN_POSIという情報を用いる。この中に、Start X-coordinate（始点のｘ座標：左上端）, End X−coordinate（終点のｘ座標：右下端）, Start Y−coordinate（始点のy座標：左上端）, End Y-coordinate（終点のy座標：右下端）という値があるので、これらの値により、当該オブジェクト（ボタン）の始点および終点のＸ座標およびＹ座標を取得することができる（ステップＳ７６）。
【０１０３】
・フォーカスガイド用信号の作成
次に、フォーカスガイドインフォメーション処理部１２−１は、フォーカスガイド管理部２４−１から供給された各情報及びユーザによって選択されたフォーカスガイド方法に関する情報に基づいて、フォーカスガイド用信号を生成する（ステップＳ７７）。
【０１０４】
ステップＳ７１〜ステップＳ７６で述べた情報取得方法はアドバンスドコンテンツとは異なるが、その情報に基づいたフォーカスガイド用信号の作成処理は、アドバンスドコンテンツの場合と同様である。  
・映像重ね合わせ／音声ミキシング
最後に、フォーカスガイドディスプレイ処理部１３−１は、フォーカスガイドインフォメーション処理部１２−１から供給されるフォーカスガイド用信号およびその他の通常の再生信号に基づいて、図１４に示すような映像重ね合わせ処理や音声ミキシングを行ってテレビモニタやスピーカに出力する。これもアドバンスドコンテンツの場合と同様である。
【０１０５】
以上の実施形態で詳細に説明したように、本発明の一実施形態のフォーカスガイド処理によって、フォーカスが当たっているオブジェクトの特定やフォーカス遷移先オブジェクトの特定に基づき、フォーカスが当たっているオブジェクトを強調表示したり、矢印表示等で８方向操作によるフォーカス遷移先オブジェクトを表示することが可能となる。
【０１０６】
これにより、ユーザのフォーカス移動操作を支援することができ、オブジェクトの配置やフォーカス遷移規則が複雑であった場合、ユーザが円滑にフォーカス移動操作を行うことが可能となる。
【０１０７】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【０１０８】
【図１】本発明の一実施形態に係るＨＤ ＤＶＤ再生装置の概要の一例を示す説明図。
【図２】本発明の一実施形態に係るＨＤ ＤＶＤのコンテンツの概要の一例を示す説明図。
【図３】本発明の一実施形態に係るＨＤ ＤＶＤ再生装置のスタンダードコンテンツとアドバンストコンテンツの識別処理の一例を示すフローチャート。
【図４】本発明の一実施形態に係るＨＤ ＤＶＤ再生装置のフォーカスガイドのユーザ操作待機時の処理の一例を示すフローチャート。
【図５】本発明の一実施形態に係るＨＤ ＤＶＤ再生装置のフォーカスガイド処理の概要の一例を示すフローチャート。
【図６】本発明の一実施形態に係るＨＤ ＤＶＤ再生装置の構成の一例を示すブロック図。
【図７】本発明の一実施形態に係るＨＤ ＤＶＤ再生装置に用いられるリモコンの一例を示す外観図。
【図８】本発明の一実施形態に係るＨＤ ＤＶＤ再生装置のフォーカスガイド処理のための構成の一例を示すブロック図。
【図９】本発明の一実施形態に係るＨＤ ＤＶＤ再生装置のフォーカスガイド処理の一例を示す説明図。
【図１０】本発明の一実施形態に係るＨＤ ＤＶＤ再生装置のフォーカスガイド処理の他の一例を示す説明図。
【図１１】本発明の一実施形態に係るＨＤ ＤＶＤ再生装置のフォーカスガイド処理の他の一例を示す説明図。
【図１２】本発明の一実施形態に係るＨＤ ＤＶＤ再生装置のフォーカスガイド処理の他の一例を示す説明図。
【図１３】本発明の一実施形態に係るＨＤ ＤＶＤ再生装置のフォーカスガイド処理の他の一例を示す説明図。
【図１４】本発明の一実施形態に係るＨＤ ＤＶＤ再生装置の映像の重ね合わせの一例を示す説明図。
【図１５】本発明の一実施形態に係るＨＤ ＤＶＤ再生装置のオブジェクトの配置の一例を示す説明図。
【図１６】本発明の一実施形態に係るＨＤ ＤＶＤ再生装置のMarkup設定の一例を示す説明図。
【図１７】本発明の一実施形態に係るＨＤ ＤＶＤ再生装置のnavIndexの設定の一例を示す説明図。
【図１８】本発明の一実施形態に係るＨＤ ＤＶＤ再生装置のフォーカスガイドの一例を示す説明図。
【図１９】本発明の一実施形態に係るＨＤ ＤＶＤ再生装置のアドバンストコンテンツに対するフォーカスガイド処理の一例を示すフローチャート。
【図２０】本発明の一実施形態に係るＨＤ ＤＶＤ再生装置のアドバンストコンテンツに対するフォーカスガイド処理の一例を示すフローチャート。
【図２１】本発明の一実施形態に係るＨＤ ＤＶＤ再生装置のアドバンストコンテンツに対するフォーカスガイド処理の一例を示すフローチャート。
【図２２】本発明の一実施形態に係るＨＤ ＤＶＤ再生装置のフォーカスガイドの一例を示す説明図。
【図２３】本発明の一実施形態に係るＨＤ ＤＶＤ再生装置のフォーカスガイドの他の一例を示す説明図。
【図２４】本発明の一実施形態に係るＨＤ ＤＶＤ再生装置のフォーカスガイドの他の一例を示す説明図。
【図２５】本発明の一実施形態に係るＨＤ ＤＶＤ再生装置のスタンダードコンテンツの再生処理の概要を示す説明図。
【図２６】本発明の一実施形態に係るＨＤ ＤＶＤ再生装置のスタンダードコンテンツに対するフォーカスガイド処理の一例を示すフローチャート。
【図２７】本発明の一実施形態に係るＨＤ ＤＶＤ再生装置のスタンダードコンテンツに対するフォーカスガイド処理の一例を示す説明図。
【図２８】本発明の一実施形態に係るＨＤ ＤＶＤ再生装置のスタンダードコンテンツに対するフォーカスガイド処理の一例を示す説明図。
【図２９】本発明の一実施形態に係るＨＤ ＤＶＤ再生装置のスタンダードコンテンツに対するフォーカスガイド処理の一例を示す説明図。
【図３０】本発明の一実施形態に係るＨＤ ＤＶＤ再生装置のスタンダードコンテンツに対するフォーカスガイド処理の一例を示す説明図。
【図３１】本発明の一実施形態に係るＨＤ ＤＶＤ再生装置のスタンダードコンテンツに対するフォーカスガイド処理の一例を示す説明図。
【図３２】本発明の一実施形態に係るＨＤ ＤＶＤ再生装置のスタンダードコンテンツに対するフォーカスガイド処理の一例を示すフローチャート。
【符号の説明】
【０１０９】
Ｄ…光ディスク、１０…ＨＤ ＤＶＤ再生装置、１１…ナビゲーション管理部、１２…プレゼンテーション処理部、１３…映像音声処理部、１４…データアクセス管理部、１５…データキャッシュ、１６…操作部。
【図１】
2008159151.tif 000003
【図２】
2008159151.tif 000004
【図３】
2008159151.tif 000005
【図４】
2008159151.tif 000006
【図５】
2008159151.tif 000007
【図６】
2008159151.tif 000008
【図７】
2008159151.tif 000009
【図８】
2008159151.tif 000010
【図９】
2008159151.tif 000011
【図１０】
2008159151.tif 000012
【図１１】
2008159151.tif 000013
【図１２】
2008159151.tif 000014
【図１３】
2008159151.tif 000015
【図１４】
2008159151.tif 000016
【図１５】
2008159151.tif 000017
【図１６】
2008159151.tif 000018
【図１７】
2008159151.tif 000019
【図１８】
2008159151.tif 000020
【図１９】
2008159151.tif 000021
【図２０】
2008159151.tif 000022
【図２１】
2008159151.tif 000023
【図２２】
2008159151.tif 000024
【図２３】
2008159151.tif 000025
【図２４】
2008159151.tif 000026
【図２５】
2008159151.tif 000027
【図２６】
2008159151.tif 000028
【図２７】
2008159151.tif 000029
【図２８】
2008159151.tif 000030
【図２９】
2008159151.tif 000031
【図３０】
2008159151.tif 000032
【図３１】
2008159151.tif 000033
【図３２】
2008159151.tif 000034